(57)【要約】【課題】  無線電話装置を登録する電話サーバを複数個設置する場合における新規な技術を提供すること。【解決手段】  電話サーバ１４は、認証情報４２を含む第１コマンド４４を無線電話装置１８から受信すると、第１コマンド４４を電話サーバ１０に送信する。電話サーバ１４は、電話サーバ１０からの第１コマンド４４に対する第１レスポンス４６が肯定的なレスポンスであることを条件として、電話装置１８から送信された通話要求５０を無線電話装置２０に送信する。電話サーバ１４は、通話要求５０のレスポンスとして電話装置２０から送信された第２レスポンス５４を無線電話装置１８に送信する。【選択図】  図３
2010183288.tif 000002
【特許請求の範囲】
【請求項１】
第１無線電話装置が登録されている別の電話サーバと通信可能であるとともに、無線通信可能領域を有する電話サーバであって、
前記無線通信可能領域内に存在する前記第１無線電話装置から送信された認証情報を無線通信によって受信する認証情報受信手段と、
前記認証情報を含む第１コマンドを前記別の電話サーバに向けて送信する第１コマンド送信手段と、
前記別の電話サーバから送信された前記第１コマンドに対する第１レスポンスを受信する第１レスポンス受信手段と、
前記第１無線電話装置から第２無線電話装置に向けて送信された通話要求を無線通信によって受信する通話要求受信手段と、
第１レスポンス受信手段によって受信された前記第１レスポンスが肯定的なレスポンスであり、かつ、前記無線通信可能領域内に前記第２無線電話装置が存在することを条件として、前記別の電話サーバを介さずに前記第２無線電話装置に向けて前記通話要求を無線通信によって送信する通話要求送信手段と、
前記第２無線電話装置から送信された前記通話要求に対する第２レスポンスを無線通信によって受信する第２レスポンス受信手段と、
前記第２レスポンスを前記第１無線電話装置に向けて無線通信によって送信する第２レスポンス送信手段、
を備える電話サーバ。
【請求項２】
無線電話装置の認証情報を含む登録情報を記憶する登録情報記憶手段と、
前記別の電話サーバから第３無線電話装置の認証情報を含む第２コマンドを受信するコマンド受信手段と、
コマンド受信手段によって受信された前記第２コマンドに含まれる前記第３無線電話装置の認証情報が登録情報記憶手段に記憶されていることを条件として、前記別の電話サーバに向けて前記第２コマンドに対する肯定的なレスポンスを送信する肯定的レスポンス送信手段
をさらに備えることを特徴とする請求項１に記載の電話サーバ。
【請求項３】
第１レスポンス受信手段によって受信された前記第１レスポンスが肯定的なレスポンスであることを条件として、所定の電話サーバに向けて前記第１無線電話装置の認証が成功したことを示す第１認証通知を送信する認証通知送信手段
をさらに備えることを特徴とする請求項１又は２に記載の電話サーバ。
【請求項４】
前記別の電話サーバから送信された第４無線電話装置の認証が成功したことを示す第２認証通知を受信する認証通知受信手段と、
認証通知受信手段によって前記第２認証通知が受信され、かつ、前記第４無線電話装置が前記無線通信可能領域内に存在することを条件として、前記第４無線電話装置と無線通信のセッションを確立するセッション確立手段、
をさらに備えることを特徴とする請求項１から３のいずれかに記載の電話サーバ。
【請求項５】
第１無線電話装置が登録されている別の電話サーバと通信可能であるとともに、無線通信可能領域を有する電話サーバのためのコンピュータプログラムであって、
前記無線通信可能領域内に存在する前記第１無線電話装置から送信された認証情報を無線通信によって受信する認証情報受信処理と、
前記認証情報を含む第１コマンドを前記別の電話サーバに向けて送信する第１コマンド送信処理と、
前記別の電話サーバから送信された前記第１コマンドに対する第１レスポンスを受信する第１レスポンス受信処理と、
前記第１無線電話装置から第２無線電話装置に向けて送信された通話要求を無線通信によって受信する通話要求受信処理と、
第１レスポンス受信処理によって受信された前記第１レスポンスが肯定的なレスポンスであり、かつ、前記無線通信可能領域内に前記第２無線電話装置が存在することを条件として、前記別の電話サーバを介さずに前記第２無線電話装置に向けて前記通話要求を無線通信によって送信する通話要求送信処理と、
前記第２無線電話装置から送信された前記通話要求に対する第２レスポンスを無線通信によって受信する第２レスポンス受信処理と、
前記第２レスポンスを前記第１無線電話装置に向けて無線通信によって送信する第２レスポンス送信処理、
をコンピュータに実行させるコンピュータプログラム。
【発明の詳細な説明】
【技術分野】
【０００１】
本発明は、無線電話装置から送信される通話要求を中継する技術に関する。
【背景技術】
【０００２】
無線電話装置が、アクセスポイントを介して別の無線電話装置と電話通信を実行する技術が知られている（例えば、特許文献１）。特許文献１に開示される技術では、無線電話装置は、ＳＩＰ（Ｓｅｓｓｉｏｎ  Ｉｎｉｔｉａｔｉｏｎ  Ｐｒｏｔｏｃｏｌ）を利用して別の電話装置と電話通信を実行する。各無線電話装置は、ＳＩＰサーバに登録される。例えば、第１無線電話装置が通話要求を第２無線電話装置に送信する場合、第１無線電話装置は、通話要求をアクセスポイントに送信する。アクセスポイントは、ＳＩＰサーバに通話要求を転送する。ＳＩＰサーバは、アクセスポイントを介して、第２無線電話装置に通話要求を転送する。
【先行技術文献】
【特許文献】
【０００３】
【特許文献１】特開２００５−２２９５９１号公報
【発明の概要】
【発明が解決しようとする課題】
【０００４】
上記の特許文献１では、電話通信を実行する各電話装置が１つの電話サーバ（特許文献１の例ではＳＩＰサーバ）に登録されている。複数の電話サーバを利用するシステムは開示されていない。本明細書では、複数の電話サーバを利用するシステムにおいて、効率的に通信を実行することができる技術を提供する。
【課題を解決するための手段】
【０００５】
本発明者らは、複数のアクセスポイントが設置される無線電話システムにおいて、アクセスポイント毎に電話サーバを設置する構成を創作した。言い換えると、本発明者らは、複数の電話サーバのそれぞれがアクセスポイントとして機能する構成を創作した。なお、以下の図１から図３は、あくまで例示であり、これらの図面及び以下の説明によって本発明の技術的範囲が限定して解釈されることはない。本発明の技術的範囲は、特許請求の範囲に記載されている内容に基づいて客観的に定められる。図１は、それぞれが無線通信可能領域１２，１６を有する電話サーバ１０，１４と無線電話装置１８，２０とを備える無線電話システム１の構成の一例を示す。電話サーバ１０は、電話サーバ１４と通信可能に接続されている。無線電話装置１８は、電話サーバ１０に登録されている。無線電話装置２０は、電話サーバ１４に登録されている。無線電話装置１８，２０は、無線通信可能領域１６内に存在する。
【０００６】
図２は、図１の構成における無線電話装置１８から無線電話装置２０に通話要求を送信する場合のシーケンス図である。無線電話装置１８は、無線電話装置２０を送信先とする通話要求２２を無線電話装置１８と通信可能な電話サーバ１４に送信する。電話サーバ１４は、無線電話装置１８から通話要求２２を受信すると、無線電話装置１８が登録されている電話サーバ１０に通話要求２４を送信する。電話サーバ１０は、通話要求２４の送信先の無線電話装置２０と無線通信可能である電話サーバ１４に通話要求２６を送信する。電話サーバ１４は、電話サーバ１０から通話要求２６を受信すると、通話要求２８を無線電話装置２０に送信する。無線電話装置２０は、通話要求２８のレスポンス３０を電話サーバ１４に送信する。電話サーバ１４は、レスポンス３０の送信先の無線電話装置１８が登録されている電話サーバ１０にレスポンス３２を送信する。電話サーバ１０は、レスポンス３２の送信先の無線電話装置１８と無線通信可能である電話サーバ１４にレスポンス３４を送信する。電話サーバ１４は、レスポンス３６を無線電話装置１８に送信する。これにより、無線電話装置１８と無線電話装置２０とが通話可能な状態となる。
【０００７】
上記した図２の構成では、無線電話装置１８と無線電話装置２０とが登録されている電話サーバがそれぞれ異なるため、無線電話装置１８と無線電話装置２０との間で電話通信を実行するための各コマンド（通話要求及びレスポンス）が、電話サーバ１０と電話サーバ１４との間で通信される。本発明者らは、電話サーバ１０と電話サーバ１４との間の通信負荷を低減するために、以下の構成を有する電話サーバを創作した。
【０００８】
図３を参照しながら、本明細書によって開示される電話サーバ１４の構成について説明する。この電話サーバ１４は、第１無線電話装置１８が登録されている別の電話サーバ１０と通信可能であるとともに、無線通信可能領域１６を有する。電話サーバ１４は、認証情報受信手段と第１コマンド送信手段と第１レスポンス受信手段と通話要求受信手段と通話要求送信手段と第２レスポンス受信手段と第２レスポンス送信手段を備える。認証情報受信手段は、無線通信可能領域１６内に存在する第１無線電話装置１８から送信された認証情報４２を無線通信によって受信する。認証情報４２は、前記した別の電話サーバ１０が第１無線電話装置１８を認証するための情報である。認証情報４２の一例として、デバイスＩＤ、パスワード等を挙げることができる。第１コマンド送信手段は、認証情報４２を含む第１コマンド４４を前記した別の電話サーバ１０に向けて送信する。この結果、前記した別の電話サーバ１０は、第１コマンド４４に含まれる認証情報４２を利用して、第１無線電話装置１８の認証を実行する。前記した別の電話サーバ１０は、第１無線電話装置１８の認証結果を含む第１レスポンス４６を電話サーバ１４に送信する。第１レスポンス受信手段は、前記した別の電話サーバ１０から送信された第１コマンド４４に対する第１レスポンス４６を受信する。通話要求受信手段は、第１無線電話装置１８から第２無線電話装置２０に向けて送信された通話要求４８を無線通信によって受信する。通話要求送信手段は、第１レスポンス受信手段によって受信された第１レスポンス４６が肯定的なレスポンスであり、かつ、無線通信可能領域１６内に第２無線電話装置２０が存在することを条件として、前記した別の電話サーバ１０を介さずに第２無線電話装置２０に向けて通話要求５０を無線通信によって送信する。第２レスポンス受信手段は、第２無線電話装置２０から送信された通話要求５０に対する第２レスポンス５２を無線通信によって受信する。第２レスポンス送信手段は、第２レスポンス５４を第１無線電話装置１８に向けて無線通信によって送信する。
【０００９】
上記の電話サーバ１４を利用すると、第１コマンド４４に対して肯定的な第１レスポンス４６が受信された場合に、第１無線電話装置１８と第２無線電話装置２０との間で電話通信を実行するための各コマンド（通話要求４８，５０及び第２レスポンス５２，５４）が、第１無線電話装置１８が登録されている電話サーバ１０を介さずに通信される。上記した図２の構成と比較して、電話サーバ１０，１４間の通信負荷を軽減することができる。
【００１０】
上記の電話サーバ１４は、登録情報記憶手段とコマンド受信手段と肯定的レスポンス送信手段とをさらに備えていてもよい。登録情報記憶手段は、無線電話装置の認証情報を含む登録情報を記憶してもよい。コマンド受信手段は、前記した別の電話サーバ１０から第３無線電話装置の認証情報を含む第２コマンドを受信してもよい。肯定的レスポンス送信手段は、コマンド受信手段によって受信された第２コマンドに含まれる第３無線電話装置の認証情報が登録情報記憶手段に記憶されていることを条件として、前記した別の電話サーバ１０に向けて第２コマンドに対する肯定的なレスポンスを送信してもよい。
【００１１】
上記した電話サーバ１４は、前記した別の電話サーバ１０以外の所定の電話サーバと通信可能に接続されていてもよい。この場合、電話サーバ１４は、第１レスポンス受信手段によって受信された第１レスポンスが肯定的なレスポンスであることを条件として、所定の電話サーバに向けて第１無線電話装置１８の認証が成功したことを示す第１認証通知を送信する認証通知送信手段をさらに備えていてもよい。
この構成によれば、所定の電話サーバは、第１無線電話装置１８の認証処理（認証情報受信、コマンド送信、及びレスポンスを含む）を実行しなくても、第１無線電話装置１８の認証が成功したことを知ることができる。
【００１２】
上記した電話サーバ１４は、認証通知受信手段とセッション確立手段をさらに備えていてもよい。認証通知受信手段は、上記した別の電話サーバ１０から送信された第４無線電話装置の認証が成功したことを示す第２認証通知を受信してもよい。セッション確立手段は、認証通知受信手段によって第２認証通知が受信され、かつ、第４無線電話装置が無線通信可能領域１６内に存在することを条件として、第４無線電話装置と無線通信のセッションを確立してもよい。「無線通信のセッションを確立する」とは、例えば、電話サーバ１４は、第４無線電話装置から送信された接続要求を受信した場合に、第４無線電話装置と無線通信するために必要な処理を実行することを意味する。従って、「第４無線電話装置と無線通信のセッションを確立する」という用語は、「第４無線電話装置と無線通信が可能に接続する」、又は、「第４無線電話装置との通信経路を確立する」と言い換えることもできる。電話サーバ１４は、第４無線電話装置と無線通信のセッションを確立するために、第４無線電話装置に必要な情報を要求してもよい。
例えば、電話サーバ１０の無線通信可能領域１２に存在しており、電話サーバ１０をアクセスポイントとして別の電話装置と電話通信を実行している第４無線電話装置が、電話サーバ１０の無線通信可能領域１２から電話サーバ１４の無線通信可能領域１６に移動する可能性がある。この場合、第４無線電話装置は、電話サーバ１４と無線通信することを試みる。電話サーバ１４と第４無線電話装置との間に通信セッションが予め確立されている場合、第４無線電話装置が電話サーバ１４と無線通信を開始するために必要な時間を短縮することができる。これにより、第４無線電話装置と上記の別の電話装置との電話通信が途切れる時間を短縮することができる。
【００１３】
なお、上記の電話サーバ１４を実現するためのコンピュータプログラムも有用である。
【図面の簡単な説明】
【００１４】
【図１】複数の電話サーバを有する無線電話システムの一例を示す。
【図２】無線電話システムの電話通信の一例のシーケンス図を示す。
【図３】無線電話システムの電話通信の一例のシーケンス図を示す。
【図４】実施例の無線電話システムを示す。
【図５】電話サーバの構成を示す。
【図６】登録情報テーブルの一例を示す。
【図７】電話装置の構成を示す。
【図８】接続処理の一例のシーケンス図を示す。
【図９】電話装置の接続先の電話サーバが変更される場合の接続処理の一例のシーケンス図を示す。
【図１０】電話装置が別の電話装置と電話通信を開始する場合の処理の一例のシーケンス図を示す。
【図１１】電話装置が別の電話装置と電話通信を開始する場合の処理の一例のシーケンス図を示す。
【図１２】電話装置の主接続先の電話サーバが変更になった場合の処理の一例のシーケンス図を示す。
【発明を実施するための最良の形態】
【００１５】
ここでは、以下の実施例に記載の技術の特徴の一部をまとめておく。
（形態１）上記の無線電話装置は、ＩＰ網を利用して電話通信することができるものであってもよい。即ち、上記の無線電話装置は、ＩＰ電話であってもよい。
（形態２）上記の無線電話装置は、固有の電話識別情報を有していてもよい。形態１の場合、電話識別情報は、ＵＲＩ形式のインターネットアドレスであってもよい。
（形態３）電話装置は、ＳＩＰ（Ｓｅｓｓｉｏｎ  Ｉｎｉｔｉａｔｉｏｎ  Ｐｒｏｔｏｃｏｌ）を利用して電話通信を行なってもよい。
（形態４）形態２の場合、通話要求は、ＩＮＶＩＴＥコマンドであってもよい。
（形態５）第１レスポンス受信手段によって受信された第１レスポンスが否定的なレスポンスである場合、電話サーバは、通話要求受信手段で受信された通話要求に対して否定的なレスポンスを第１電話装置に送信してもよい。
【実施例】
【００１６】
（システムの構成）
図面を参照して実施例を説明する。図４は、本実施例の無線電話システム６０を示す。無線電話システム６０は、電話サーバ６２，６４，６６，６８，７０と電話装置９０，１１０，１１２等を備えている。電話サーバ６２，６４，６６，６８，７０は、ＬＡＮ回線７２に接続されている。図４では、５つの電話サーバ６２，６４，６６，６８，７０のみを示しているが、より多数の電話サーバを備えていてもよい。また、図４では、３つの電話装置９０，１１０，１１２のみを示しているが、より多数の電話装置を備えていてもよい。電話装置９０，１１０，１１２は、携帯型電話装置（例えば携帯電話、ＰＤＡ等）である。
【００１７】
各電話装置９０，１１０，１１２は、ＳＩＰを利用して無線電話通信を実行することができる。ＳＩＰを利用して無線電話通信を実行するためには、ＳＩＰサーバが必要とされる。ＳＩＰサーバに電話装置が登録されると、その電話装置にはＳＩＰサーバに対応するＳＩＰ  ＵＲＩ（ＳＩＰ  Ｕｎｉｆｏｒｍ  Ｒｅｓｏｕｒｃｅ  Ｉｄｅｎｔｉｆｅｒ）が付与される。本実施例では、電話サーバ６２，６４，６６，６８，７０のそれぞれがＳＩＰサーバとして機能する。電話サーバ６２には、電話装置９０が登録されている。電話サーバ６６には、電話装置１１０が登録されている。電話サーバ７０には、電話装置１１２が登録されている。図４において、各電話サーバ６２，６６，７０のかっこ内は、各電話サーバ６２，６６，７０に登録されている電話装置９０，１１０，１１２を示す。各電話装置９０，１１０，１１２には、固有のＳＩＰ  ＵＲＩが付与されている。なお、各電話装置９０，１１０，１１２のＳＩＰ  ＵＲＩは、その電話装置が登録されている電話サーバ６２，６６，７０のＵＲＩを含んでいる。例えば、電話サーバ６２に登録されている電話装置９０のＳＩＰ  ＵＲＩ「ｓｉｐ：ａａａ＠ｓｅｒｖｅｒ６２．ｃｏｍ」は、電話サーバ６２のＵＲＩ「ｓｅｒｖｅｒ６２．ｃｏｍ」を含んでいる。同様に、電話サーバ６６に登録されている電話装置１１０のＳＩＰ  ＵＲＩ「ｓｉｐ：ｂｂｂ＠ｓｅｒｖｅｒ６６．ｃｏｍ」は、電話サーバ６６のＵＲＩ「ｓｅｒｖｅｒ６６．ｃｏｍ」を含んでおり、電話サーバ７０に登録されている電話装置１１２のＳＩＰ  ＵＲＩは、電話サーバ７０のＵＲＩを含んでいる。
【００１８】
（電話サーバの構成）
図５は、電話サーバ６６の構成を示す。電話サーバ６６は、制御部７４と無線通信インターフェイス７６（図５及び以下では、無線通信Ｉ／Ｆ７６という）とネットワークインターフェイス８０（図５及び以下では、ネットワークＩ／Ｆ８０という）と記憶部７８等を備える。電話サーバ６２の各部は、バス８２によって接続されている。制御部７４は、記憶部７８に記憶されているプログラムに従って、様々な処理を実行する。制御部７４が実行する処理の内容については、後で詳しく説明する。無線通信Ｉ／Ｆ７６は、図４に示す無線通信可能領域６７を有する。無線通信Ｉ／Ｆ７６は、無線通信可能領域６７に存在する電話装置と無線通信するためのインターフェイスである。電話サーバ６６は、無線通信Ｉ／Ｆ７６によって、電話装置の無線電話通信を中継する。即ち、電話サーバ６６は、電話装置のアクセスポイントとして機能する。制御部７４は、無線通信Ｉ／Ｆ７６を介して、所定の時間間隔で無線通信可能領域６７内に識別信号（ビーコン信号）を発信する。識別信号には、電話サーバ６６の識別情報（例えば、電話サーバ６６のＵＲＩ）が含まれる。ネットワークＩ／Ｆ８０には、ＬＡＮ回線７２が接続されている。制御部７４は、無線通信を実行する電話装置に対してＩＰアドレスを付与する。即ち、電話サーバ６６は、ＤＨＣＰサーバとして機能する。
【００１９】
記憶部７８は、ＲＯＭ、ＥＥＰＲＯＭ、ＲＡＭ等によって構成されている。記憶部７８は、電話サーバ６６の近隣の電話サーバ６４，６８のＵＲＩを記憶している。また、記憶部７８は、接続情報テーブル７９と登録情報テーブル８４を記憶している。接続情報テーブル７９には、電話装置のＳＩＰ  ＵＲＩ７９ａと接続のステータス７９ｂとが対応付けて記憶されている。制御部７４は、電話サーバ６６と無線通信可能に接続されている電話装置のＳＩＰ  ＵＲＩをＳＩＰ  ＵＲＩ７９ａに記録する。制御部７４は、電話サーバ６６と無線通信可能に接続されている電話装置のＳＩＰ  ＵＲＩ７９ａに対応付けて、「主接続」と「副接続」のいずれかを示すステータスをステータス７９ｂに記録する。また、制御部７４は、後述する認証ＯＫ、又は認証通知によって認証される電話装置のＳＩＰ  ＵＲＩをＳＩＰ  ＵＲＩ７９ａに記録する。本実施例では、電話装置９０，１１０が電話サーバ６６と主接続されている。制御部７４は、接続情報テーブル７９に、電話装置９０，１１０のＳＩＰ  ＵＲＩと「主接続」とを対応付けて記録する。制御部７４が接続情報テーブル７９にどのようにＳＩＰ  ＵＲＩ７９ａとステータス７９ｂを記録するかは後で説明する。また、「主接続」と「副接続」の用語についても、後で説明する。
【００２０】
図６は、登録情報テーブル８４の一例を示す。登録情報テーブル８４には、電話装置のＳＩＰ  ＵＲＩ８５とＩＰアドレス８７とパスワード８８と接続先情報８９とが対応付けて記憶されている。設計者、使用者等は、登録情報テーブル８４に電話装置のＳＩＰ  ＵＲＩとパスワードを登録することができる。本実施例では、電話装置１１０が、電話サーバ６６に登録されている。従って、登録情報テーブル８４には、電話装置１１０のＳＩＰ  ＵＲＩ８５とパスワード８８とが対応づけて記憶されている。
【００２１】
接続先情報８９は、電話装置１１０と無線通信可能となっている電話サーバのＵＲＩである。本実施例では、電話装置１１０が電話サーバ６６と無線通信可能になっていることから、「ｓｅｒｖｅｒ６６」が記憶されている。制御部７４は、ＩＰアドレス８７と接続先情報８９を更新することができる。例えば、電話装置１１０が電話サーバ６４の無線通信可能領域６５内に存在する場合、電話サーバ６４は、電話装置１１０が無線通信可能領域６５内に存在することを示す通知（接続先通知）と電話装置１１０のＩＰアドレスとを電話サーバ６６に送信する。制御部７４は、この通知を受信すると、電話装置１１０の接続先情報８９として、電話サーバ６４のＵＲＩ「ｓｅｒｖｅｒ６４」を記録する。また、制御部７４は、電話装置１１０のＩＰアドレス８７として、受信したＩＰアドレスを記録する。
【００２２】
なお、電話サーバ６２，６４，６８，７０は、電話サーバ６６と同様の構成を備える。電話サーバ６２の登録情報テーブルには、電話装置９０に関する情報が登録されている。また、電話サーバ７０の登録情報テーブルには、電話装置１１２に関する情報が登録されている。また、電話サーバ７０の接続情報テーブルには、電話装置１１２のＳＩＰ  ＵＲＩとステータスである「主接続」とが対応付けて記憶されている。また、電話サーバ６２，６４，６８，７０の無線通信Ｉ／Ｆは、それぞれ無線通信可能領域６３，６５，６９，７１を有する。
【００２３】
（電話装置の構成）
図７は、電話装置９０の構成を示す。電話装置９０は、制御部９４と無線通信インターフェイス９６（図７及び以下では、無線通信Ｉ／Ｆ９６という）と操作部９８と表示部１００とスピーカ１０２とマイク１０４と記憶部１０６等を備える。制御部９４は、記憶部１０６に記憶されているプログラムに従って、様々な処理を実行する。制御部９４が実行する処理の内容については、後で詳しく説明する。無線通信Ｉ／Ｆ９６は、電話サーバ６２，６４，６６，６８，７０と無線通信するためのインターフェイスである。
【００２４】
操作部９８は、複数のキーを有する。例えば、操作部９８は、フックキーやテンキーを有する。表示部１００は、様々な情報を表示することができる。ユーザは、スピーカ１０２とマイク１０４を利用して通話を行なうことができる。記憶部１０６は、制御部９４によって実行されるべきプログラムを記憶している。記憶部１０６は、制御部９４が処理を実行する過程で生成されるデータ等を記憶することができる。記憶部１０６は、登録情報テーブル８４の電話装置９０のＳＩＰ  ＵＲＩ８５に対応付けて記憶されているパスワード８８と同一のパスワードを記憶している。また、記憶部１０６は、接続情報テーブル１０７を記憶している。接続情報テーブル１０７には、電話サーバのＵＲＩ１０７ａとステータス１０７ｂとが対応付けて記憶されている。
【００２５】
電話装置９０は、複数の電話サーバと無線接続する（通信セッションを確立する）ことができる。制御部９４は、無線接続されている複数の電話サーバのうち、１つの電話サーバを利用して別の電話装置と電話通信を実行する。制御部９４は、電話装置９０が電話通信に利用する電話サーバ６６のＵＲＩと「主接続」とを対応付けて、接続情報テーブル１０７に記録する。制御部９４は、無線接続されている電話サーバであって、別の電話装置と通信するために利用しない電話サーバ６２，６４のＵＲＩと「副接続」とを対応付けて、接続情報テーブル１０７に記録する。なお、電話装置１１０，１１２は電話装置９０と同様の構成を有する。電話装置１１０の接続情報テーブルには、電話サーバ６６のＵＲＩと「主接続」とが対応付けて記憶されている。また、電話装置１１２の接続情報テーブルには、電話サーバ７０のＵＲＩと「主接続」とが対応付けて記憶されている。
【００２６】
（各装置の処理）
次いで、電話装置９０が電話サーバ６６と主接続する場合について、電話装置９０、電話サーバ６２，６４，６６，６８の処理を説明する。図８は、各装置９０，６２，６４，６６，６８の処理を示すシーケンス図を示す。電話装置９０が図４に示す位置（即ち電話サーバ６４，６６，６８の無線通信可能領域６５，６７，６９内）で電源がＯＮにされた場合を例にして、以下の説明を続ける。以下の各装置９０，６２，６４，６６，６８で実行される処理は、実際には各装置９０，６２，６４，６６，６８の制御部で実行される。電話装置９０は、電話サーバ６４，６６，６８の無線通信可能領域６５，６７，６９内に存在する。電話装置９０は、電話サーバ６４，６６，６８から定期的に発信される識別信号を受信する。電話装置９０は、受信した識別信号のうち、最も電波の強度が強い識別信号に含まれるＵＲＩに対応する電話サーバと主接続すべきであると判断する。以下では、電話サーバ６６が主接続すべき電話サーバであると判断された場合について説明する。
【００２７】
電話装置９０は、接続情報テーブル１０７に、主接続すべき電話サーバ６６のＵＲＩと「主接続」とが対応付けて記憶されているか否かを確認する。電話サーバ６６のＵＲＩと「主接続」とが対応付けて記憶されていない場合、電話装置９０は、自身のＳＩＰ  ＵＲＩと接続要求が主接続要求であることを示す情報とを含む主接続要求１２０を電話サーバ６６に送信する。一方において、電話装置９０は、電話サーバ６６のＵＲＩと「主接続」とが対応付けて記憶されている場合、主接続要求１２０を送信しない。電話サーバ６６は、主接続要求１２０を受信すると、主接続要求１２０に含まれる電話装置９０のＳＩＰ  ＵＲＩが、接続情報テーブル７９に記憶されているか否かを確認する。電話装置９０のＳＩＰ  ＵＲＩが「副接続」と対応付けて接続情報テーブル７９に記憶されている場合、電話サーバ６６は、主接続要求１２０に含まれるＳＩＰ  ＵＲＩに対応付けて記憶されているステータスを「副接続」から「主接続」に変更する。
【００２８】
一方において、接続情報テーブル７９に電話装置９０のＳＩＰ  ＵＲＩが記憶されており、かつ、ステータスが記憶されていない場合、電話サーバ６６は、電話装置９０が認証されていると判断する。なお、電話装置９０が認証されている場合、即ち、接続情報テーブル７９に電話装置９０のＳＩＰ  ＵＲＩが記憶されており、かつ、ステータスが記憶されていない場合とは、電話サーバ６６が、電話装置９０が登録されている電話サーバ６２から認証ＯＫ（後述する認証ＯＫ１２８）を受信した場合、又は、別の電話サーバから電話装置９０の認証通知（後述する認証通知１３２，１３４）を受信した場合である。電話装置９０が認証されている場合、又は、上記した電話装置９０のＳＩＰ  ＵＲＩが「副接続」と対応付けて接続情報テーブル７９に記憶されている場合、電話サーバ６６は、電話装置９０に付与するＩＰアドレスを決定する。電話サーバ６６は、電話装置９０と無線接続し、電話装置９０に付与するＩＰアドレスを電話装置９０に送信する。次に、電話サーバ６６は、接続情報テーブル７９の電話装置９０のＳＩＰ  ＵＲＩに対応付けて「主接続」を記録する。電話装置９０は、受信したＩＰアドレスを自身のＩＰアドレスとして設定する。電話装置９０のＩＰアドレスは、主接続する電話サーバによって付与される。即ち、電話装置９０のＩＰアドレスは、主接続する電話サーバによって変わる。一方において、電話装置９０が認証されていない場合、即ち、接続情報テーブル７９に電話装置９０のＳＩＰ  ＵＲＩが記憶されていない場合、電話装置９０の認証に必要なパスワード（認証情報）要求１２２を送信する。
【００２９】
電話装置９０は、パスワード要求１２２を受信すると、記憶部１０６に記憶されているパスワード１２４を電話サーバ６６に送信する。電話サーバ６６は、パスワード１２４を受信すると、電話装置９０から送信された接続要求１２０に含まれるＳＩＰ  ＵＲＩ（ｓｉｐ：ａａａ＠ｓｅｒｖｅｒ６２．ｃｏｍ）から、電話装置９０が登録されている電話サーバが電話サーバ６２であることを特定する。次に、電話サーバ６６は、電話装置９０のＳＩＰ  ＵＲＩとパスワード１２４とを含む認証要求１２６を電話サーバ６２に送信する。電話サーバ６２は、認証要求１２６を受信すると、認証要求１２６に含まれるＳＩＰ  ＵＲＩとパスワードとが自身の登録情報テーブルに対応付けて記憶されているか否かを確認する。登録情報テーブルに記憶されている場合、電話サーバ６２は、認証ＯＫ１２８を電話サーバ６６に送信する。一方において、登録情報テーブルに記憶されていない場合、電話サーバ６２は、認証エラーを電話サーバ６６に送信する。電話サーバ６６は、電話サーバ６２から認証ＯＫ１２８を受信すると、電話装置９０に付与するＩＰアドレスを決定する。電話サーバ６６は、電話装置９０のＳＩＰ  ＵＲＩと自身のＵＲＩと電話装置９０に付与するＩＰアドレスとを含む接続先通知１３０を電話サーバ６２に送信する。
【００３０】
電話サーバ６２は、接続先通知１３０を受信すると、登録情報テーブルに記憶されている電話装置９０のＳＩＰ  ＵＲＩに対応付けて電話サーバ６６のＵＲＩとＩＰアドレスとを登録する。電話サーバ６６の記憶部７８には、電話サーバ６６の近隣の電話サーバ６４，６８のＵＲＩが記憶されている。電話サーバ６６は、記憶部７８に記憶されている電話サーバ６４，６８のＵＲＩに基づいて、電話サーバ６４，６８に認証通知１３２，１３４を送信する。認証通知１３２，１３４は、電話装置９０のＳＩＰ  ＵＲＩと電話装置９０の認証が成功したことを示す情報とを含む。認証通知１３２，１３４を受信した電話サーバ６４，６８は、認証通知１３２，１３４に含まれる電話装置９０のＳＩＰ  ＵＲＩをそれぞれの接続情報テーブルに記録する。このとき、電話サーバ６４，６８は、それぞれの接続情報テーブルのステータスを記録しない。
【００３１】
続いて、電話サーバ６６は、電話装置９０に付与するＩＰアドレスと電話サーバ６６のＵＲＩとを含む接続ＯＫ１３６を電話装置９０に送信する。電話サーバ６６は、接続情報テーブル７９に、電話装置９０のＳＩＰ  ＵＲＩと「主接続」とを対応付けて記録する。電話装置９０は、接続ＯＫ１３６を受信すると、接続情報テーブル１０７に、電話サーバ６６のＵＲＩと「主接続」とを対応付けて記録する。一方において、電話サーバ６６は、電話サーバ６２から認証エラーを受信した場合、又は、電話装置９０と無線接続できない場合（例えば、別の複数の電話装置と無線接続しているため、無線接続できない場合等）、接続エラーを電話装置９０に送信する。
【００３２】
電話サーバ６６は、記憶部７８に記憶されている近隣の電話サーバ６４，６８のＵＲＩを含む電話サーバリスト１３７を電話装置９０に送信する。電話装置９０は、電話サーバリスト１３７を受信すると、電話サーバ６４，６８のＵＲＩが、接続情報テーブル１０７に記憶さているか否かを確認する。電話サーバ６４のＵＲＩが接続情報テーブル１０７に記憶さていない場合、自身のＳＩＰ  ＵＲＩと接続要求が副接続要求であることを示す情報とを含む副接続要求１３８を電話サーバ６４に送信する。同様に、電話装置９０は、電話サーバ６８のＵＲＩが接続情報テーブル１０７に記憶さていない場合、自身のＳＩＰ  ＵＲＩと接続要求が副接続要求であることを示す情報とを含む副接続要求１４０を電話サーバ６８に送信する。電話装置９０は、電話サーバリスト１３７に含まれる電話サーバのＵＲＩの中に、既に主接続又は副接続されている電話サーバのＵＲＩが含まれている場合、当該ＵＲＩに対応する電話サーバに副接続要求を送信しない。なお、電話装置９０は、電話サーバリスト１３７に含まれるＵＲＩの中に、受信した識別信号に含まれていないＵＲＩが存在する場合、当該ＵＲＩに対応する電話サーバに接続要求を送信しなくてもよい。
【００３３】
電話サーバ６４は、副接続要求１３８を受信すると、電話装置９０が認証されているか否かを確認する。具体的には、接続要求１３８に含まれる電話装置９０のＳＩＰ  ＵＲＩが接続情報テーブルに記憶されているか否かを確認する。電話サーバ６４は、電話装置９０が認証されている場合、接続ＯＫ１４２を電話装置９０に送信する。次に、電話サーバ６４は、接続情報テーブルの電話装置９０のＳＩＰ  ＵＲＩに対応付けて「副接続」を記録する。一方において、電話装置９０が認証されていない場合、電話サーバ６４は、電話装置９０に接続エラーを送信する。
【００３４】
同様に、電話サーバ６８は、接続要求１４０を受信すると、電話装置９０が認証されているか否かを確認する。電話サーバ６８は、電話装置９０が認証されている場合、接続ＯＫ１４４を電話装置９０に送信する。次に、電話サーバ６８は、接続情報テーブルの電話装置９０のＳＩＰ  ＵＲＩに対応付けて「副接続」を記録する。一方において、電話装置９０が認証されていない場合、電話サーバ６８は、電話装置９０に接続エラーを送信する。
【００３５】
図９は、図４の状態から、電話装置９０が移動して、電話装置９０の主接続先が電話サーバ６６から電話サーバ６８に変更される場合について説明する。以下の各装置９０，６２，６４，６６，６８，７０で実行される処理は、実際には各装置９０，６２，６４，６６，６８，７０の制御部で実行される。電話装置９０は、電話サーバ６８から送信される識別信号の電波強度が、電話サーバ６６から送信される識別信号の電話強度よりも強い場合に、電話サーバ６６から電話サーバ６８に主接続先を変更する。あるいは、電話装置９０は、電話サーバ６６から送信される識別信号を受信することができなくなった場合、識別信号が受信されている電話サーバ６８に主接続先を変更してもよい。
【００３６】
電話装置９０は、自身のＳＩＰ  ＵＲＩと接続要求が主接続要求であることを示す情報とを含む主接続要求１５０を電話サーバ６８に送信する。電話サーバ６８は、主接続要求１５０を受信すると、主接続要求１５０に含まれる電話装置９０のＳＩＰ  ＵＲＩが接続情報テーブルに記憶されているか否かを確認する。電話装置９０のＳＩＰ  ＵＲＩが接続情報テーブルに記憶されている場合、電話サーバ６８は、電話装置９０のＳＩＰ  ＵＲＩを含む認証通知を既に受信している（図８の認証通知１３４参照）。そのため、電話サーバ６８は、電話装置９０の認証処理（パスワード要求、認証要求）を実行しない。電話サーバ６８の記憶部には、電話サーバ６８の近隣の電話サーバ６６，７０のＵＲＩが記憶されている。電話サーバ６８は、記憶部に記憶されている電話サーバ６６，７０のＵＲＩに基づいて、電話サーバ６６，７０に認証通知１５２，１５４を送信する。
【００３７】
電話サーバ６８から送信された電話装置９０の認証通知１５２を電話サーバ６６が受信する場合とは、電話装置９０が電話サーバ６８と主接続する場合である。電話サーバ６６は、認証通知１５２を受信すると、接続情報テーブル７９に記憶されている電話装置９０のＳＩＰ  ＵＲＩのステータスを「主接続」から「副接続」に変更する。また、電話サーバ７０は、認証通知１５４を受信すると、認証通知１５４に含まれる電話装置９０のＳＩＰ  ＵＲＩを接続情報テーブルに記録する。電話サーバ６８は、電話装置９０に付与するＩＰアドレスを決定する。電話サーバ６８は、電話装置９０のＳＩＰ  ＵＲＩと自身のＵＲＩと電話装置９０に付与するＩＰアドレスとを含む接続先通知１５６を電話サーバ６２に送信する。電話サーバ６２は、接続先通知１５６を受信すると、登録情報テーブルの電話装置９０のＳＩＰ  ＵＲＩに対応付けて記録されている接続先情報を電話サーバ６８のＵＲＩに変更する。また、電話サーバ６２は、登録情報テーブルの電話装置９０のＳＩＰ  ＵＲＩに対応付けて記録されているＩＰアドレスを受信したＩＰアドレスに変更する。
【００３８】
続いて、電話サーバ６６は、電話装置９０に付与するＩＰアドレスを含む接続ＯＫ１５８を電話装置９０に送信する。また、電話サーバ６６は、接続情報テーブル７９の電話装置９０のＳＩＰ  ＵＲＩに対応付けて記憶されているステータスを「副接続」から「主接続」に変更する。電話装置９０は、受信したＩＰアドレスを自身のＩＰアドレスに設定する。電話装置９０は、記憶部１０６において電話サーバ６６のＵＲＩに対応付けて記憶されている「主接続」を「副接続」に変更し、電話サーバ６８のＵＲＩに対応付けて記憶されている「副接続」を「主接続」に変更する。次に、電話サーバ６８は、記憶部７４に記憶されている近隣の電話サーバ６６，７０のＵＲＩを含む電話サーバリスト１５９を電話装置９０に送信する。電話装置９０は、電話サーバリスト１５９を受信した時点で、電話サーバ６４と接続されている場合がある。即ち、電話装置９０が電話サーバ６４の無線通信可能領域６５内に存在する場合、電話装置９０と電話サーバ６４との接続は維持されている。
【００３９】
電話装置９０は、接続情報テーブル１０７に電話サーバ６４のＵＲＩが記憶されており、かつ、電話サーバリスト１５９に電話サーバ６４のＵＲＩが含まれていない場合、電話サーバ６４に接続の切断要求１６０を送信する。電話装置９０は、接続情報テーブル１０７の電話サーバ６４のＵＲＩとこれに対応付けられているステータスとを削除する。電話サーバ６４は、切断要求１６０を受信すると、電話装置９０との通信セッションを終了する。また、電話サーバ６４は、接続情報テーブルから電話装置９０のＳＩＰ  ＵＲＩとこれに対応付けられているステータスとを削除する。
【００４０】
続いて、電話装置９０は、電話サーバリスト１５９に含まれる電話サーバ７０に自身のＳＩＰ  ＵＲＩと接続要求が副接続要求であることを示す情報を含む副接続要求１６２を送信する。電話サーバ７０は、副接続要求１６２を受信すると、副接続要求１６２に含まれる電話装置９０のＳＩＰ  ＵＲＩが接続情報テーブルに記憶されているか否かを確認する。電話サーバ７０は、副接続要求１６２に含まれる電話装置９０のＳＩＰ  ＵＲＩが接続情報テーブルに記憶されていることを確認すると、電話装置９０と無線通信可能となるように通信セッションを確立する。電話サーバ７０は、接続情報テーブルの電話装置９０のＳＩＰ  ＵＲＩに「副接続」を対応付けて記録する。電話サーバ７０は、電話装置９０に接続ＯＫ１６４を送信する。この結果、電話装置９０は、接続情報テーブル１０７に、電話サーバ７０のＵＲＩと「副接続」を対応付けて記憶する。なお、電話装置９０は、接続情報テーブル１０７に電話サーバ６６のＵＲＩと「副接続」とが対応付けて記憶されているため、電話サーバ６６に副接続要求を送信しない。
【００４１】
次いで、電話装置９０と電話装置１１０が電話通信を開始する場合について説明する。電話装置９０，１１０が電話サーバ６６の無線通信可能領域６７に存在し、電話サーバ６６と主接続されている場合を例にして、以下の説明を続ける。図１０は、電話装置９０が、電話装置１１０にＩＮＶＩＴＥを送信する場合について、電話装置９０，１１０と電話サーバ６６の処理の内容を説明する。以下の各装置９０，１１０，６６で実行される処理は、実際には各装置９０，１１０，６６の制御部で実行される。電話装置９０のユーザは、操作部９８を操作することによって、通話準備操作を実行する。通話準備操作は、ユーザが電話装置１１０のＳＩＰ  ＵＲＩを入力し（例えば、記憶部１０６に記憶されている電話帳からＳＩＰ  ＵＲＩを選択すること、ＳＩＰ  ＵＲＩを直接入力すること等）、その後にフックキーを操作することを含む。
【００４２】
電話装置９０は、ユーザによって通話準備操作が為されると、送信先の電話装置１１０のＳＩＰ  ＵＲＩを含むＩＮＶＩＴＥ１７０を電話サーバ６６に送信する。電話サーバ６６は、電話装置９０と主接続されている。電話サーバ６６は、電話装置９０が登録されている電話サーバ６２にＩＮＶＩＴＥ１７０を転送しない。電話サーバ６６は、ＩＮＶＩＴＥ１７０の送信先である電話装置１１０が自身と主接続されているか否かを確認する。電話サーバ６６は、電話装置１１０と主接続されていることが確認されると、電話装置１１０にＩＮＶＩＴＥ１７２を転送する。
【００４３】
電話装置１１０は、ＩＮＶＩＴＥ１７２を受信すると、電話装置１１０が電話通信を実行することができるか否かを確認する。例えば、電話装置１１０が電話装置９０とは別の電話装置と電話通信している場合、電話装置１１０は、電話装置９０と電話通信を実行することができないと判断する。電話装置１１０は、電話通信を実行することができないと判断すると、電話装置９０を送信先として、４８６  Ｂｕｓｙ  Ｈｅｒｅを送信する。一方において、電話装置１１０は、電話通信可能であることが確認されると、ＩＮＶＩＴＥ１７２のレスポンスとして、２００  ＯＫ１７４を電話サーバ６６に送信する。電話サーバ６６は、２００  ＯＫ１７６を電話装置９０に転送する。電話装置９０は、２００  ＯＫ１７６のレスポンスとして、ＡＣＫ１７８を電話サーバ６６に送信する。電話サーバ６６は、ＡＣＫ１８０を電話装置１１０に転送する。また、電話サーバ６６は、電話装置９０のＩＰアドレスを電話装置１１０に送信するとともに、電話装置１１０のＩＰアドレスを電話装置９０に送信する。これにより、電話装置９０は、電話サーバ６６を介して、電話装置１１０と電話通信を実行することができる。
【００４４】
次いで、電話装置９０と電話装置１１２が電話通信を開始する場合について説明する。電話装置９０が、電話サーバ６６の無線通信可能領域６７に存在して電話サーバ６６と主接続されており、電話装置１１２が、電話サーバ７０の無線通信可能領域７１内に存在して電話サーバ７０と主接続されている場合を例にして、以下の説明を続ける。図１１は、電話装置１１２が、電話装置９０にＩＮＶＩＴＥを送信する場合について、電話装置９０，１１２と電話サーバ６２，６６，７０の処理の内容を説明する。以下の各装置９０，１１２，６２，６６，７０で実行される処理は、実際には各装置９０，１１２，６２，６６，７０の制御部で実行される。電話装置１１２のユーザは、操作部を操作することによって、通話準備操作を実行する。
【００４５】
電話装置１１２は、ユーザによって通話準備操作が為されると、送信先の電話装置９０のＳＩＰ  ＵＲＩを含むＩＮＶＩＴＥ１９０を電話サーバ７０に送信する。電話サーバ７０は、ＩＮＶＩＴＥ１９０に含まれるＳＩＰ  ＵＲＩが自身と主接続されているか否かを確認する。電話サーバ７０は、電話装置９０が主接続されていないことを確認すると、電話装置９０のＳＩＰ  ＵＲＩ（ｓｉｐ：ａａａ＠ｓｅｒｖｅｒ６２．ｃｏｍ）に基づいて、電話装置９０が登録されている電話サーバ６２に、電話装置９０のＳＩＰ  ＵＲＩを含む接続先問い合わせ１９２を送信する。一方において、電話サーバ７０は、電話サーバ６２にＩＮＶＩＴＥを転送しない。電話サーバ６２は、接続先問い合わせ１９２を受信すると、接続先問い合わせ１９２に含まれる電話装置９０のＳＩＰ  ＵＲＩに対応付けて、登録情報テーブルに記憶されている接続先の電話サーバ６６のＵＲＩを特定する。電話サーバ６２は、接続先問い合わせ１９２のレスポンスとして、特定された電話サーバ６６のＵＲＩを含む接続先情報１９４を電話サーバ７０に送信する。
【００４６】
電話サーバ７０は、接続先情報１９４を受信すると、記憶部に電話サーバ６６のＵＲＩと電話装置９０のＳＩＰ  ＵＲＩとを対応付けて記憶させる。電話サーバ７０は、電話装置９０のＳＩＰ  ＵＲＩを含むＩＮＶＩＴＥ１９６を電話サーバ６６に送信する。電話サーバ６６は、ＩＮＶＩＴＥ１９６を受信すると、ＩＮＶＩＴＥ１９８を電話装置９０に転送する。電話装置９０は、ＩＮＶＩＴＥ１９８を受信すると、自身が電話通信可能であるか否かを確認する。電話装置９０は、電話通信可能であることが確認されると、ＩＮＶＩＴＥ１９８のレスポンスとして、２００  ＯＫ２００を電話サーバ６６に送信する。電話サーバ６６は、２００  ＯＫ２００を受信すると、２００  ＯＫ２０２を電話サーバ７０に転送する。また、電話サーバ６６は、電話装置９０のＩＰアドレスを電話サーバ７０に送信する。電話サーバ７０は、２００  ＯＫ２０２を受信すると、２００  ＯＫ２０４を電話装置１１２に転送する。また、電話サーバ７０は、電話装置９０のＩＰアドレスを電話装置１１２に転送する。電話装置１１２は、２００  ＯＫ２０４のレスポンスとして、ＡＣＫ２０６を電話サーバ７０に送信する。電話サーバ７０は、電話サーバ６６にＡＣＫ２０８を転送する。また、電話サーバ７０は、電話装置１１２のＩＰアドレスを電話サーバ６６に送信する。電話サーバ６６は、電話装置９０にＡＣＫ２１０を転送する。また、電話サーバ６６は、電話装置１１２のＩＰアドレスを電話装置９０に転送する。これにより、電話装置１１２は、電話サーバ７０，６６を介して、電話装置９０と電話通信を実行することができる。
【００４７】
次いで、上記した図１１の処理によって、電話装置９０と電話装置１１２とが電話通信している状況で、電話装置９０の主接続先の電話サーバが、電話サーバ６６から電話サーバ６８に変更になった場合の電話装置９０と電話装置１１２の処理について説明する。図１２は、電話装置９０，１２０と電話サーバ６８，７０の処理を示すシーケンス図を示す。以下の各装置９０，１１２，６８，７０で実行される処理は、実際には各装置９０，１１２，６８，７０の制御部で実行される。電話装置９０は、電話サーバ６８から接続ＯＫ（図９の接続ＯＫ１５８参照）を受信すると、自身のＩＰアドレスを接続ＯＫ１５８に含まれるＩＰアドレスに変更する。電話装置９０は、電話装置９０，１２０のＳＩＰ  ＵＲＩと変更後の電話装置９０のＩＰアドレスとを含む接続先変更通知２２０を電話サーバ６８に送信する。電話サーバ６８は、自身のＵＲＩと接続先変更通知２２０に含まれる内容とを含む接続先変更通知２２２を電話サーバ７０に送信する。電話サーバ７０は、接続先変更通知２２２に含まれる電話装置９０のＳＩＰ  ＵＲＩに対応付けて記憶部に記憶されている電話サーバ６６のＵＲＩを電話サーバ６８のＵＲＩに変更する。
【００４８】
電話サーバ７０は、接続先変更通知２２４を電話装置１１２に転送する。電話装置１１２は、電話通信先の電話装置９０のＩＰアドレスを接続先変更通知２２４に含まれるＩＰアドレスに変更する。電話装置１１２は、接続先変更通知２２４のレスポンスとして、２００  ＯＫ２２６を電話サーバ７０に送信する。電話サーバ７０は、電話サーバ６８に２００  ＯＫ２２８を転送する。電話サーバ６８は、２００  ＯＫ２３０を電話装置９０に転送する。
【００４９】
電話サーバ６６は、電話装置９０が登録されている電話サーバ６２から電話装置９０の認証ＯＫ（図８の認証ＯＫ１２８参照）を受信すると、電話装置９０と別の電話装置とが電話通信を実行するためのコマンドとレスポンスの通信を中継する。即ち、電話サーバ６６は、電話装置９０が登録されていないにも関わらず、電話装置９０のＳＩＰサーバの役割を果たす。これにより、電話サーバ６６は、電話装置９０から受信された、又は、電話装置９０に送信するコマンドとレスポンスを電話サーバ６２に転送する必要がない。この結果、電話サーバ６６と電話サーバ６２との間の通信負荷を軽減することができる。また、電話サーバ６６がコマンドを電話サーバ６２に転送しないため、電話装置９０がＩＮＶＩＴＥを送信してから、別の電話装置と電話通信可能となるまでの時間を短縮することができる。
【００５０】
電話サーバ６６は、電話装置９０が登録されている電話サーバ６２から、電話装置９０の認証ＯＫ（図８の認証ＯＫ１２８参照）を受信すると、近隣の電話サーバ６４，６８に認証通知を送信する（図８の認証通知１３２，１３４参照）。また、電話サーバ６６は、近隣の電話サーバ６４，６８のＵＲＩを含む電話サーバリストを電話装置９０に送信する。電話装置９０は、電話サーバリストに含まれる電話サーバ６４，６８に接続要求を送信する（図８の接続要求１３８，１４０参照）。電話サーバ６４，６８は、認証通知を受信していることを条件として、電話装置９０と通信セッションを確立する。この結果、電話装置９０が電話サーバ６４，６８の無線通信可能領域６５，６９内に移動した場合、電話装置９０は、電話サーバ６４，６８と通信セッションを確立することなく、電話サーバ６４，６８と無線通信することができる。
【００５１】
電話装置９０は、電話サーバから送信された電話サーバリストに含まれていない電話サーバと接続されている場合、接続されている電話サーバに切断要求（図９の切断要求１６０参照）を送信する。切断要求を受信した電話サーバは、電話装置９０との接続を終了する。この結果、電話サーバは、電話装置との通信を維持するための処理を実行しなくてよくなる。
【００５２】
電話サーバ７０は、自身に接続されていない電話装置９０を送信先とするＩＮＶＩＴＥを受信すると、電話装置９０が登録されている電話サーバ６２に、電話装置９０の接続先の電話サーバを問い合わせる。電話サーバ７０は、電話サーバ６２から送信された電話装置９０の接続先を記憶しておく。この結果、電話サーバ７０は、電話装置９０に向けて送信されるコマンドを受信した場合に、その都度、電話サーバ６２に問い合わせしなくてもよい。
【００５３】
電話装置９０は、電話装置１１２との電話通信中に、主接続先の電話サーバが変更されると、電話装置９０のＩＰアドレスが変更される。電話装置９０は、変更後のＩＰアドレスを含む接続先変更通知（図１２の接続先変更通知２２０）を電話サーバ６８，７０を経由して、電話装置１１２に送信する。これにより、電話装置１１２は、電話装置９０のＩＰアドレスが変更されても、変更後のＩＰアドレスを知ることができる。
【００５４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００５５】
（１）電話サーバ６２〜７０のそれぞれは、自身の近隣に位置する電話サーバのＵＲＩを記憶していなくてもよい。例えば、電話サーバ６２は、他の電話サーバから発信される識別情報を受信している場合に、受信した識別情報の発信元の電話サーバに認証通知を送信してもよい。さらに、電話サーバ６２は、接続要求を送信してきた電話装置に受信した識別情報の発信元の電話サーバのＵＲＩを電話サーバリストとして送信してもよい。
（２）上記の実施例では、ＳＩＰを利用する。しかしながら、他のプロトコルが利用されてもよい。例えば、「Ｈ．３２３」、「ＭＧＣＰ（Ｍｅｄｉａ  Ｇａｔｅｗａｙ  Ｃｏｎｔｒｏｌ  Ｐｒｏｔｏｃｏｌ）」、「Ｈ．２４８／ＭＥＧＡＣＯ（Ｍｅｄｉａ  Ｇａｔｅｗａｙ  Ｃｏｎｔｒｏｌ）」等が利用されてもよい。
【００５６】
（３）電話装置は、電話サーバに接続要求を送信する場合、接続要求に主接続要求、又は副接続要求を示す情報を含めなくてもよい。即ち、電話装置が電話サーバに送信する主接続要求と副接続要求とが同一であってもよい。この場合、電話装置から送信された接続要求が主接続要求であるか副接続要求であるかを、電話サーバが判断してもよい。電話サーバの制御部は、例えば、以下の（１）から（３）に基づいて判断してもよい。（１）接続情報テーブルに記憶されていないＳＩＰ  ＵＲＩの電話装置から接続要求を受信すると、当該接続要求を主接続要求であると判断する。（２）接続情報テーブルに「副接続」と対応付けて記憶されているＳＩＰ  ＵＲＩの電話装置から接続要求を受信すると、当該接続要求を主接続要求であると判断する。（３）接続情報テーブルにＳＩＰ  ＵＲＩのみが記憶されている電話装置から接続要求を受信すると、当該接続要求を副接続要求と判断する。また、上記した（１）から（３）以外にも、例えば、接続情報テーブルに「主接続」と対応付けて記憶されているＳＩＰ  ＵＲＩの電話装置から接続要求を受信すると、当該接続要求を副接続要求であると判断してもよい。
【００５７】
（４）電話サーバは、例えば、定期的に通信セッションを確立している電話装置に向けて信号を送信することによって、電話装置が無線通信可能領域内に存在することを監視していてもよい。あるいは、電話サーバは、電話装置から定期的に送信される信号を受信することによって、電話装置が無線通信可能領域内に存在することを確認してもよい。電話サーバは、電話装置が無線通信可能領域内に存在することが確認できない場合、電話装置との通信セッションを中止してもよい。この場合、電話装置は、電話サーバに切断要求を送信しなくてもよい。
【００５８】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００５９】
６０：無線電話システム、６２，６４，６６，６８，７０：電話サーバ、９０，１１０，１１２：電話装置
【図１】
2010183288.tif 000003
【図２】
2010183288.tif 000004
【図３】
2010183288.tif 000005
【図４】
2010183288.tif 000006
【図５】
2010183288.tif 000007
【図６】
2010183288.tif 000008
【図７】
2010183288.tif 000009
【図８】
2010183288.tif 000010
【図９】
2010183288.tif 000011
【図１０】
2010183288.tif 000012
【図１１】
2010183288.tif 000013
【図１２】
2010183288.tif 000014